(57)【要約】【課題】デジタルカメラ間での遠隔撮影において、複数のユーザからの撮影のリクエストを正確に把握するのが困難である。【解決手段】撮像装置間での通信機能を有し、相互に遠隔操作が可能である操作側機能と被操作側機能とを共に備えた撮像装置であって、前記操作側機能は、撮影する被写体の位置を示す被写体位置情報を指示する被写体位置指示手段と、前記被写体位置情報を含む撮影依頼情報を前記被操作側の撮像装置へ送信する撮影依頼送信手段とを有し、前記被操作側機能は、前記操作側の撮像装置により送信された複数の前記撮影依頼情報を受信する撮影依頼受信手段と、前記撮影依頼受信手段にて受信した前記撮影依頼情報を表示する撮影依頼表示手段とを有する。【選択図】  図２
2011024139.tif 000002
【特許請求の範囲】
【請求項１】
撮像装置間での通信機能を有し、ユーザが被操作側の撮像装置が送信する画像情報を操作側の撮像装置で確認しながら相互に遠隔操作が可能である操作側機能部と被操作側機能部とを共に備えた撮像装置であって、
前記操作側機能部は、
撮影する被写体の位置を示す被写体位置情報を指示する被写体位置指示手段と、
前記被写体位置情報を含む撮影依頼情報を前記被操作側の撮像装置へ送信する撮影依頼送信手段とを有し、
前記被操作側機能部は、
前記操作側の撮像装置により送信された前記撮影依頼情報を受信する撮影依頼受信手段と、
前記撮影依頼受信手段にて受信した前記撮影依頼情報を表示する撮影依頼表示手段と
を有することを特徴とする撮像装置。
【請求項２】
前記被操作側機能部は、
撮影画像の撮影時における画角内に前記撮影依頼表示手段が表示していた前記被写体位置情報にて指示された被写体を検出する撮影依頼検出手段と、
前記撮影依頼検出手段にて検出した被写体の被写体位置情報を含む前記撮影依頼情報を前記撮影画像に関連付けて記録する撮影依頼情報付加手段と
を更に有することを特徴とする請求項１に記載の撮像装置。
【請求項３】
前記被操作側機能部は、
前記撮影依頼情報付加手段が記録した前記撮影依頼情報に従って、当該撮影依頼情報を送信した撮像装置へ前記撮影画像と当該撮影画像に関連付けられた前記撮影依頼情報とを送信する撮影画像送信手段を有し、
前記操作側機能部は、
前記撮影画像と当該撮影画像に関連付けられた前記撮影依頼情報とを受信する撮影画像受信手段と、
前記撮影画像受信手段にて受信した前記撮影画像を保存する撮影画像保存手段と
を有することを特徴とする請求項２に記載の撮像装置。
【請求項４】
前記操作側機能部の被写体位置指示手段は、前記被写体位置情報として前記操作側の撮像装置のユーザが撮影したい被写体を含む領域である複数のオブジェクト領域を受け付け、
前記被操作側機能部の撮影依頼表示手段は、前記操作側の撮像装置にて受け付けた前記オブジェクト領域が当該被操作側の撮像装置にて表示している前記画像情報に含まれている場合に当該オブジェクト領域を当該画像情報に表示することを特徴とする請求項１乃至３のいずれか一項に記載の撮像装置。
【請求項５】
前記操作側機能部の被写体位置指示手段は、前記被写体位置情報として操作側の撮像装置のユーザが撮影したい画像の画角を指定することを特徴とし、
前記被操作側機能部の撮影依頼表示手段は、前記被写体位置情報として画角情報を表示することを特徴とする請求項１乃至３のいずれか一項に記載の撮像装置。
【請求項６】
前記被操作側機能部の撮影画像送信手段は、
撮影毎に、もしくはユーザの指示によるタイミング、もしくは前記被操作側の撮像装置がアイドル状態の際のいずれかのタイミングで、前記撮影画像を前記操作側の撮像装置に送信することを特徴とする請求項４に記載の撮像装置。
【請求項７】
前記操作側機能部は、撮影依頼情報を記憶する撮影依頼記憶手段を更に有し、
前記被操作側機能部は、前記撮影依頼受信手段にて受信した前記撮影依頼情報を記憶する撮影依頼記憶手段を更に有し、
前記操作側の撮像装置のユーザの指示に基づいて、前記操作側の撮像装置の撮影依頼記憶手段、および前記被操作側の撮像装置の前記撮影依頼管理手段から前記撮影依頼情報を削除する撮影依頼削除手段を更に有することを特徴とする請求項２乃至６のいずれか一項に記載の撮像装置。
【請求項８】
前記被操作側機能部の前記撮影依頼削除手段は、撮影後の前記撮影画像に前記撮影依頼情報にて指示された前記被写体が含まれていることを前記撮影依頼検出手段が検出した場合、当該撮影依頼情報を削除することを特徴とする請求項７に記載の撮像装置。
【請求項９】
前記被操作側機能部は、
前記撮影依頼受信手段が受信した前記被写体位置情報を、前記被写体位置情報を共有する複数の撮像装置に送信する被写体位置送信手段を更に有し、
前記操作側機能部は、
前記被操作側機能部の被写体位置送信手段から前記被写体位置情報を受信する被写体位置受信手段と、
前記被写体位置受信手段にて受信した前記被写体位置情報を、前記画像情報と共に表示する指示位置表示手段と
を更に有することを特徴とする請求項１乃至８のいずれか一項に記載の撮像装置。
【請求項１０】
前記被操作側機能部は、ユーザにより指定された撮影領域における画角の範囲に前記被写体位置情報にて示された前記被写体が収まった際に撮影すべきタイミングの通知を行う撮影タイミング通知手段を更に有することを特徴とする請求項１乃至９のいずれか一項に記載の撮像装置。
【請求項１１】
前記被操作側機能部は、前記撮影タイミング通知手段の通知のタイミングで自動的に撮影を行う自動撮影手段を更に有することを特徴とする請求項１０に記載の撮像装置。
【請求項１２】
前記撮影依頼情報は、撮影設定情報を更に含み、
前記被操作側機能部は、前記撮影画像送信手段が前記操作側の撮像装置に前記撮影画像を送信する前に前記撮影設定情報に応じて前記撮影画像を補正する撮影画像補正手段と
を更に有することを特徴とする請求項３に記載の撮像装置。
【請求項１３】
前記撮影依頼情報は、撮影設定情報を更に含み、
前記操作側機能部は、撮影依頼情報を記憶する撮影依頼記憶手段を更に有し、
前記撮影画像受信手段にて、前記被操作側の撮像装置から送信された前記撮影依頼情報と前記撮影画像を受信した後に、前記撮影依頼記憶手段で記憶していた対応する撮影依頼情報を検出し、前記記憶していた対応する撮影依頼情報の撮影設定に従って前記受信した撮影画像を補正する受信画像補正手段と
を有することを特徴とする請求項３に記載の撮像装置。
【請求項１４】
前記撮影依頼情報は、前記被写体位置情報に加えて撮影依頼識別子、撮影者情報、撮影装置情報および撮影設定情報を含むことを特徴とする請求項１に記載の撮像装置。
【請求項１５】
撮像装置間での通信機能を有し、ユーザが被操作側の撮像装置が送信する画像情報を操作側の撮像装置で確認しながら相互に遠隔操作が可能である操作側機能と被操作側機能とを共に備えた撮像装置の撮像方法であって、
撮影する被写体の位置を示す被写体位置情報を指示する前記操作側機能としての被写体位置指示工程と、
前記被写体位置情報を含む撮影依頼情報を前記被操作側の撮像装置へ送信する前記操作側機能としての撮影依頼送信工程とを有し、
前記操作側の撮像装置により送信された前記撮影依頼情報を受信する前記被操作側機能としての撮影依頼受信工程と、
前記撮影依頼受信工程にて受信した前記撮影依頼情報を表示する前記被操作側機能としての撮影依頼表示工程と
を有することを特徴とする撮像方法。
【請求項１６】
撮像装置間での通信機能を有し、ユーザが被操作側の撮像装置が送信する画像情報を操作側の撮像装置で確認しながら相互に遠隔操作が可能である操作側機能部と被操作側機能部とを共に備えた撮像装置のプログラムであって、
前記撮像装置の操作側機能部を、
撮影する被写体の位置を示す被写体位置情報を指示する被写体位置指示手段と、
前記被写体位置情報を含む撮影依頼情報を前記被操作側の撮像装置へ送信する撮影依頼送信手段として機能させ、
前記撮像装置の被操作側機能部を、
前記操作側の撮像装置により送信された複数の前記撮影依頼情報を受信する撮影依頼受信手段と、
前記撮影依頼受信手段にて受信した前記撮影依頼情報を表示する撮影依頼表示手段と
して機能させることを特徴とするプログラム。
【請求項１７】
操作側の撮像装置と被操作側の撮像装置とが通信可能に接続され、ユーザが、被操作側の撮像装置が送信する画像情報を操作側の撮像装置で確認しながら遠隔的に撮影が可能な撮像システムであって、
前記操作側装置は、
撮影する被写体の位置を示す被写体位置情報を指示する被写体位置指示手段と、
前記被写体位置情報を含む撮影依頼情報を前記被操作側の撮像装置へ送信する撮影依頼送信手段とを有し、
前記被操作側装置は、
前記操作側の撮像装置により送信された複数の前記撮影依頼情報を受信する撮影依頼受信手段と、
前記撮影依頼受信手段にて受信した前記撮影依頼情報を表示する撮影依頼表示手段と
を有することを特徴とする撮像システム。
【発明の詳細な説明】
【技術分野】
【０００１】
本発明は、撮像装置、撮像方法、プログラム、及び撮像システムに関する。特にネットワーク通信機能を介して撮像装置間で相互にスルー画像を共有し、相互に遠隔操作が可能な技術に関する。
【背景技術】
【０００２】
近年、無線通信モジュールの小型化に伴って、無線通信モジュールをデジタルカメラへ搭載することが可能となった。また、通信速度の高速化に伴って無線通信モジュールを搭載したデジタルカメラをインターネット、又はデジタルカメラ同士で接続し、遠隔操作する技術が提案、開発されている。遠隔地にあるカメラを制御する仕組みはネットワークカメラの制御システムとして多数の提案がされている（特許文献１等）。
【０００３】
しかし、ネットワークカメラのように固定された装置を制御とするのと異なり、遠隔地のデジタルカメラ制御では次のような課題がある。デジタルカメラ制御では撮影時の画角調整を遠隔地のカメラユーザに対して要求する必要があり、デジタルカメラにはユーザ間のコミュニケーション媒介手段としての機能が要求される。その為、デジタルカメラ間のコミュニケーションをサポートする次の制御方法が提案されている。撮影操作を依頼する操作側カメラのシャッターボタンの半押しを検出し、実際に撮影を行う被操作側カメラに対して撮影を行う旨の撮影通知情報を送信する（特許文献２）。
【先行技術文献】
【特許文献】
【０００４】
【特許文献１】特開２００６−２２２６１７号公報
【特許文献２】特開２００４−１１２７７０号公報
【発明の概要】
【発明が解決しようとする課題】
【０００５】
遠隔地の撮像装置（デジタルカメラ等）制御では撮影にかかる時間が僅かであり、その時間内に同時に複数のリクエストをユーザから受信して撮影することが要求される。しかし、１台の撮像装置に対して複数のリクエストを送信する場合、撮像装置に対するユーザ間コミュニケーション媒介手段としての要求はさらに複雑となる。例えば、被操作側撮像装置のユーザは複数の操作側撮像装置からそれぞれが撮影したい画角に関する情報を受け付け、位置合せを行う必要がある。また、被操作側撮像装置のユーザは、複数の撮影リクエストの中からどれを優先して処理すべきかを判断する必要がある。その為、撮像装置にはどの被写体に対するリクエストが多いのか、誰からのリクエストなのか等の情報をユーザ間で伝達する必要がある。
【０００６】
本発明は、複数の操作側撮像装置が撮影したい画像に対する情報を被操作側撮像装置へ送信して表示することで、被操作側撮像装置のユーザが優先すべき撮影画像を容易に判断できることを目的とする。また、送信する情報を利用して撮影、撮影後の画像共有を支援することを目的とする。
【課題を解決するための手段】
【０００７】
本発明は、上記課題を解決するため、以下の構成を有する。撮像装置間での通信機能を有し、ユーザが被操作側の撮像装置が送信する画像情報を操作側の撮像装置で確認しながら相互に遠隔操作が可能である操作側機能と被操作側機能とを共に備えた撮像装置であって、前記操作側機能は、撮影する被写体の位置を示す被写体位置情報を指示する被写体位置指示手段と、前記被写体位置情報を含む撮影依頼情報を前記被操作側の撮像装置へ送信する撮影依頼送信手段とを有し、前記被操作側機能は、前記操作側の撮像装置により送信された複数の前記撮影依頼情報を受信する撮影依頼受信手段と、前記撮影依頼受信手段にて受信した前記撮影依頼情報を表示する撮影依頼表示手段とを有する。
【発明の効果】
【０００８】
本発明によれば、撮像装置を介して遠隔的な操作による撮影のためのユーザ間コミュニケーションを容易にし、遠隔にいるユーザの意図する設定に基づいて撮影を依頼された側のユーザは画像を取得することが可能となる。また、複数の撮像装置間での画像取得における情報共有を可能とし、遠隔のユーザ間での画像取得におけるユーザビリティの向上が可能となる。
【図面の簡単な説明】
【０００９】
【図１】本実施形態に係るデジタルカメラ遠隔撮影の概要図。
【図２】本実施形態に係る撮像装置の構成図。
【図３】第一の実施形態に係るデジタルカメラ遠隔撮影の概要図。
【図４】第一の実施形態に係る位置合せ処理のフローチャートの図。
【図５】第一の実施形態に係るオブジェクト領域による位置合せ画面の例図。
【図６】第一の実施形態に係る撮影依頼情報の例図。
【図７】第一の実施形態に係る撮影後の撮影画像記録のフローチャートの図。
【図８】第一の実施形態に係る被操作側カメラの撮影依頼情報付加手段が保存する管理情報の例図。
【図９】第一の実施形態に係る撮影画像転送、撮影画像保存フローチャートの図。
【図１０】第一の実施形態に係る撮影依頼削除のフローチャートの図。
【図１１】第二の実施形態に係る位置合せ処理のフローチャートの図。
【図１２】第二の実施形態に係る画角による位置合せ画面の例図。
【図１３】第三の実施形態に係る撮影画像転送と撮影依頼情報削除のフローチャートの図。
【図１４】第四の実施形態に係る被写体位置情報共有のフローチャートの図。
【図１５】第四の実施形態に係る被写体位置情報の共有後の位置情報表示画面の図。
【図１６】第五の実施形態に係る撮影タイミング検出、自動撮影のフローチャートの図。
【図１７】第六の実施形態に係る撮影依頼管理手段が管理する撮影依頼情報の例図。
【図１８】第六の実施形態に係る画像補正、及び画像転送のフローチャートの図。
【図１９】第七の実施形態に係る撮影依頼記憶手段が管理する撮影依頼情報の例図。
【図２０】第七の実施形態に係る画像受信後の画像補正、及び保存のフローチャートの図。
【発明を実施するための形態】
【００１０】
以下、添付の図面に従って本発明の実施形態を説明する。ただし、以下の実施形態は本発明の一例にすぎず、実施形態の範囲を限定するものではない。
【００１１】
先ず、本実施形態による撮像装置を用いた遠隔的に操作して撮影処理を行う概要を説明する。図１は撮像装置間で遠隔操作にて撮影を行う場合の概要図である。なお、ここで、撮像装置をデジタルカメラとして説明する。本実施形態による撮像装置は、図１のようにネットワーク通信機能により通信可能に接続された複数のデジタルカメラ間で相互に連携して動作する。これにより、複数の撮像装置を含む撮像システムを構成する。図１において、デジタルカメラＡ１０１はユーザインタフェースとしてレンズに映るスルー画像を表示するモニタ１０２、シャッターボタン１０３、デジタルカメラの各種設定を行う設定ボタン１０４、１０５、１０６、１０７を備えている。デジタルカメラＢ１０７、デジタルカメラＣ１１３も同様にモニタ、シャッターボタン、設定ボタンを備えている。また、デジタルカメラ同士はネットワークを介して互いに操作することが可能であり、他のデジタルカメラのスルー画像を受信して自身のモニタに表示することが可能である。なお、本実施形態において、遠隔にある他のデジタルカメラから操作されるデジタルカメラを被操作側（以下、被操作側カメラ）とし、遠隔から操作する側のデジタルカメラを操作側（以下、操作側カメラ）とする。
【００１２】
本発明の対象とするデジタルカメラは操作側機能と被操作側機能とを備えており、操作側モード、被操作側モードそれぞれで動作可能である。また、操作側機能と被操作側機能は装置内で並列に実行されることもある。よって、状況に応じて装置間で役割を変更しても良い。操作側モードの場合、モニタに他の遠隔デジタルカメラから受信した画像情報であるスルー画像を表示し、撮影領域の設定操作またはシャッターボタンの押下により、遠隔デジタルカメラに対して撮影依頼を送信する。スルー画像を他の遠隔デジタルカメラに対して送信し、撮影依頼を受け付ける状態が被操作側モードである。被操作側モードの場合、撮影依頼の受信により撮影領域の変更、撮影を行い、取得した撮影画像を操作側モードのデジタルカメラへ送信する。操作側モードのデジタルカメラは撮影画像を受信して遠隔撮影が完了する。図１においてデジタルカメラＣ１１３は被操作側モード、デジタルカメラＡ１０１、Ｂ１０７は操作側モードのデジタルカメラである。デジタルカメラＣ１１３はスルー画像を他のデジタルカメラへ送信し、スルー画像を参照したデジタルカメラＡ１０１のユーザはデジタルカメラＣで遠隔撮影を実施する為に、デジタルカメラＡ１０１を操作側モードで動作させる。デジタルカメラＡ１０１のモニタ１０２にはデジタルカメラＣ１１３のスルー画像が表示される。デジタルカメラＡ１０１のユーザはスルー画像を参照してシャッターボタン１０３により撮影依頼をデジタルカメラＣ１１３に送信する。デジタルカメラＣ１１３では撮影依頼を受信すると撮影を実施し、撮影画像をデジタルカメラＡ１０１に送信する。デジタルカメラＡ１０１は撮影画像を受信し、遠隔撮影は完了となる。
【００１３】
＜全体構成＞
次に、図２を用いて本発明の実施形態を示す全体構成図について説明する。また、全体構成図の説明は遠隔撮影を例に取って行う。図１の操作側モードの撮像装置は、図２において操作側撮像機能２０２が動作している撮像装置Ａ２０１で示される。また、撮像装置Ａ２０１は被操作側撮像機能２１２も有する。図１の被操作側モードの撮像装置は、図２において被操作側撮像機能２１４が動作している撮像装置Ｂ２１３で示される。また、撮像装置Ｂ２１３は操作側撮像機能２２６も有する。すなわち、それぞれの撮像装置において、操作側撮像機能を有する操作側撮像機能部と被操作側撮像機能部を有することとなる。先ず、操作側撮像機能２０２において、被写体位置指示手段２０３は、撮像装置Ｂ２１３から受信したスルー画像をユーザがモニタ上で確認し、タッチパネル、設定ボタンによってユーザが撮影したい被写体位置情報の指示を受ける。被写体位置情報の指示をユーザから受けると、撮影依頼記憶手段２０４は撮影依頼情報を記憶する。撮影依頼情報は被写体位置情報、撮影依頼識別子、撮影者情報、撮影装置情報、及び撮影設定情報で構成される。撮影依頼情報の詳細については、図６を用いて後述する。また、撮影設定情報については、この情報を用いる実施形態にて詳細に説明する。撮影依頼情報が作成されると、撮影依頼送信手段２０５は撮影依頼情報を撮像装置Ｂ２１３へ送信する。次に、被操作側撮像機能２１４において、撮影依頼受信手段２１５は撮影依頼送信手段２０５から撮影依頼情報を受信する。受信した撮影依頼情報は撮影依頼管理手段２１６により記憶する。撮影依頼表示手段２１７は撮影依頼情報が含む被写体位置情報とその他の情報をモニタ上に表示する。
【００１４】
撮像装置Ｂ２１３のユーザはモニタ上の撮影依頼情報に従って撮影を実施する。撮影が実施されると、撮影依頼検出手段２１９は撮影時にモニタ上に表示されていた撮影依頼情報にて指示された被写体位置情報を検出する。撮影依頼情報付加手段２２０は撮影依頼検出手段２１９が検出した被写体位置情報の撮影依頼情報を撮影画像に関連付けて記録する。画像の記録が完了すると、撮影画像送信手段２２２は撮影依頼情報に含まれる撮像装置情報に従って撮影依頼識別子と撮影画像を撮像装置Ａ２０１へ送信する。次に操作側撮像機能２０２において、撮影画像受信手段２０７は撮影依頼識別子と撮影画像を受信する。受信した撮影画像は撮影画像保存手段２０９により保存される。その後、撮影依頼識別子をキーとして、操作側撮像機能２０２の撮影依頼削除手段２０６は、撮影依頼記憶手段２０４に保存されている撮影依頼情報を削除する。同様に被操作側撮像機能２１４の撮影依頼削除手段２１８は、撮影依頼管理手段２１６に保存されている撮影依頼情報を削除する。ここまでが本実施形態を適用した遠隔撮影の概要である。
【００１５】
次にその他の構成について説明する。撮影画像補正手段２２１は撮影画像を撮像装置Ａ２０１へ送信する前に撮影設定情報に従って補正する。受信画像補正手段２０８は受信した画像を撮影設定情報に従って補正する。撮影タイミング通知手段２２３は撮影の指定した領域が撮影領域の中心近傍に近づいたタイミングを検出してユーザへ通知を行う。自動撮影手段２２４は撮影タイミング通知手段２２３が検出したタイミングで自動的に撮影を行う。また、被写体位置送信手段２２５は被写体位置情報をスルー画像と共に送信し、操作側撮像機能２０２では被写体位置受信手段２１０により被写体位置情報を受信して、指示位置表示手段２１１によりスルー画像に重ねて表示することが可能となる。
【００１６】
＜第一の実施形態＞
第一の実施形態を、図２乃至図１０を用いて説明する。第一の実施形態として、撮影領域内のオブジェクト領域によって被写体位置情報を指定し、撮影を実施する例について説明する。図３は操作側モードのデジタルカメラＡ３０１、Ｂ３１０が被操作側モードのデジタルカメラＣ３１９のスルー画像を参照している撮影依頼前の状態である。本実施形態では、デジタルカメラＡ３０１のユーザは被写体ｃ３０９、デジタルカメラＢ３１０のユーザは被写体ｂ３１７を撮影依頼する。
【００１７】
図４は撮影位置合せ処理の手順を示したフローチャートである。Ｓ４０１では、デジタルカメラＡ３０１のユーザは、図５（ａ）にて示す被写体ｃ５０９を囲むオブジェクト領域５１０を被写体位置情報として指定する。被写体位置受信手段２１０は、この被写体位置情報を受信する。被写体位置情報の指定後、撮影依頼記憶手段２０４は被写体位置情報を含む撮影依頼情報を記憶する。図６（ａ）は被写体ｃ５０９の指定に伴う撮影依頼情報である。本実施形態では撮影依頼情報は、撮影依頼識別子、撮影位置情報、撮影者氏名、装置名、装置型番、通信先情報を含む。撮影依頼識別子は、撮影依頼毎に一意に示す識別子である。撮影位置情報は、ユーザが撮影したい領域を示すスルー画像における位置情報を示している。撮影者氏名は、撮影依頼を行う操作側カメラのユーザの情報を示す。装置型番は、撮影依頼を行う操作側カメラの型番を示す。通信先情報は、撮影依頼情報の送信元である操作側カメラを示す。被操作側カメラは撮影先情報を参照して、撮影依頼の応答となる撮影画像等を送信することが可能である。しかし、上記各情報の内容は、ここで記載した内容に限定するわけではなく、他の内容を含んでいても良い。なお、本実施形態において、撮影位置情報は、操作側カメラのモニタにて表示しているスルー画像中の画素の位置を示している。ここでは、操作側カメラのモニタにおいて、走査線方向をｘ軸方向、副走査線方向をｙ軸方向とし、（ｘ，ｙ）で位置を示す。例えば、図６（ａ）を例にとって説明すると、（５００，８０）の画素から（６５０，５５０）の画素までの領域に含まれる対象が撮影対象であることを示している。
【００１８】
また、デジタルカメラＢ３１０についても同様に、図５（ｂ）に示すように被写体ｂ７０８をオブジェクト領域７１０で被写体位置情報を指定し、図６（ｂ）の撮影依頼情報を記憶する。Ｓ４０２では、デジタルカメラＡ３０１、Ｂ３１０のそれぞれにおいて、撮影依頼記憶手段２０４が保持する撮影依頼情報を撮影依頼送信手段２０５により、デジタルカメラＣ３１９へ送信する。Ｓ４０３では、デジタルカメラＣ３１９の撮影依頼受信手段２１５が撮影依頼情報を受信する。Ｓ４０４では、撮影依頼管理手段２１６により、図６（ｃ）に示すように受信した撮影依頼情報をそれぞれ一意となる管理番号を付与して記憶する。Ｓ４０５では、撮影依頼情報が含む撮影位置情報をモニタに表示する。撮影依頼表示手段２１７は図５（ｃ）のように被写体ｂ１００８にデジタルカメラＢ３１０の撮影位置情報１０１０を重ねて表示する。
【００１９】
なお、スルー画像中に操作側カメラのユーザから指定された撮影依頼情報のオブジェクト領域全て含まれていなければ、図５（ａ）における５１０のようにオブジェクト領域の一部のみが表示される場合もある。また、スルー画像中に依頼を受けたオブジェクト領域が含まれていなければ表示されないことも想定される。この場合においては、依頼を受けたが現在のスルー画像中には表示されていない旨を表示しても良い。
【００２０】
また、同時に被写体ｃ１００９にデジタルカメラＡ３０１の撮影位置情報１０１１を重ねて表示する。デジタルカメラＣ３１９のユーザは撮影位置情報を参考にして、画角を調整し撮影を行う。例えば、デジタルカメラＣ３１９のユーザは図５（ｄ）のようにデジタルカメラＡ３０１、Ｂ３１０からの撮影位置情報を含むように撮影を行う。ここで、画角調整中の撮影位置情報の表示は既存技術を応用し、オブジェクト領域の中に含まれる被写体を認識し、画角調整中は被写体を追跡して表示することも可能である。
【００２１】
＜撮影画像記録フロー＞
図７は、撮影後の撮影画像記録の手順を示したフローチャートである。Ｓ１２０１では、撮影した画像をメモリ（不図示）へ記憶する。Ｓ１２０２では、撮影依頼検出手段２１９は、撮影時にモニタ上に表示されていた撮影領域に撮影依頼情報にて指定された被写体位置情報が含まれるか否かを検出する。撮影依頼情報にて指定された被写体位置情報が検出された場合（Ｓ１２０２にてＹＥＳ）、Ｓ１２０３が実施される。Ｓ１２０３では、撮影依頼情報付加手段２２０は撮影依頼検出手段２１９が検出した撮影依頼情報を撮影画像に関連付けて記録する。ここではデジタルカメラＡ３０１、Ｂ３１０の撮影依頼情報における被写体位置情報が検出される為、図８のように撮影画像のファイル名と撮影依頼管理番号とが関連付けられて保存される。その後、Ｓ１２０２に戻り、その他の撮影依頼情報の検出を繰り返す。Ｓ１２０２にて被写体位置情報が検出されない場合（Ｓ１２０２にてＮＯ）は、処理を終了する。なお、本実施形態においては、図８のように複数の管理番号を有するファイル名を一つ保存した例を示したが、これに限定されるわけではなく、管理番号ごとにファイルを保存しても良い。
【００２２】
＜撮影画像転送、保存フロー＞
図９は撮影画像転送、及び撮影画像保存の手順を示したフローチャートである。Ｓ１４０１では、撮影依頼情報付加手段２２０が記録した図８に示す撮影依頼管理番号を参照して画像を転送する対象が存在するかをチェックする。存在する場合（Ｓ１４０１にてＹＥＳ）は、Ｓ１４０２を実施する。存在無ければ（Ｓ１４０１にてＮＯ）、処理を終了する。Ｓ１４０２では、撮影画像送信手段２２２により図８に示す撮影依頼管理番号をキーとして図６（ｃ）に示す撮影依頼情報テーブルから該当する撮影依頼情報を取得する。その後、撮影画像と撮影依頼識別子を通信先情報に従ってデジタルカメラＡ３０１、Ｂ３１０へ送信する。Ｓ１４０３では、撮影画像受信手段２０７により、デジタルカメラＣ３１９から送信された撮影画像と撮影依頼識別子を受信する。Ｓ１４０４では、撮影画像保存手段２０９により受信した撮影画像が保存される。ここで、Ｓ１４０２において、撮影画像送信手段２２２による画像の送信は、デジタルカメラＣ３１９のユーザによる送信を行うためのユーザ指示に基づいて撮影毎ではなく任意のタイミングで送信することが可能である。また、撮影画像送信手段２２２による画像の送信は、デジタルカメラＣ３１９の処理がアイドル状態である場合に送信することが可能である。なお、転送タイミングは上記に限定されるわけではなく、その他に操作側のデジタルカメラＡ３０１、Ｂ３１０側の操作に起因しても良い。
【００２３】
＜撮影依頼削除フロー＞
図１０は撮影依頼削除の手順を示したフローチャートである。デジタルカメラＡ３０１とデジタルカメラＣ３１９について説明する。Ｓ１５０１では、操作側カメラのユーザは既に指示済みの撮影指示情報を指定して撮影依頼削除手段２０６を呼出す。撮影依頼削除手段２０６は同一カメラ内の撮影依頼記憶手段２０４に記憶されている撮影依頼情報を削除する。次に、撮影依頼識別子を含む撮影依頼削除情報をデジタルカメラＣ３１９へ送信する。Ｓ１５０２では、デジタルカメラＣ３１９の撮影依頼削除手段２１８は撮影依頼削除情報を受信する。Ｓ１５０３では、撮影依頼削除手段２１８は撮影依頼識別子が一致する図６（ｃ）に示した撮影依頼情報を撮影依頼管理手段が保持する撮影依頼管理情報から削除する。その後、処理を終了する。なお、Ｓ１５０１において、削除依頼の送信と撮影依頼情報の削除との順番は逆であっても良い。
【００２４】
以上の説明のように、複数の操作側カメラのユーザがリクエストした被写体位置情報を被操作側カメラに表示することによって、被操作側カメラのユーザは依頼者からのリクエストを正確に把握して撮影することが可能となる。また、被写体位置情報と合わせてリクエストを行ったユーザ情報を表示することによって、どのユーザを優先するなどの判断材料とすることも可能となる。さらに撮影依頼を管理しており、依頼に合致した操作側カメラへ自動的に撮影画像を転送することによって、画像配布の手間を軽減することが可能となる。このことにより、ユーザの遠隔撮影におけるコミュニケーションが円滑となり、ユーザビリティの向上を可能とする。
【００２５】
＜第二の実施形態＞
第二の実施形態では図２、図３、図１１、および図１２を用いて説明する。第二の実施形態では被写体位置情報として撮影を希望する画角を指定する方法について説明する。また、本実施形態のシステム構成は第一の実施形態と同様に図３に示されるシステム構成を利用する。また、説明はデジタルカメラＡ３０１とデジタルカメラＣ３１９とを用いて行う。
【００２６】
図１１は撮影位置合せ処理の手順を示したフローチャートである。Ｓ１６０１では、デジタルカメラＡ３０１のユーザは被写体位置指示手段２０３により、図１２のように撮影を希望する画角を被写体位置情報として指定する。被写体位置情報の指定後、撮影依頼記憶手段２０４は被写体位置情報を含む依頼情報を記憶する。Ｓ１６０２〜Ｓ１６０４は、第一の実施形態で説明した図４のＳ４０２〜Ｓ４０４と同様であるため説明を省略する。Ｓ１６０５では、撮影依頼情報が含む撮影位置情報をモニタに表示する。撮影依頼表示手段２１７は図１２（ａ）のように撮影位置情報を示す画角情報を重ねて表示する。デジタルカメラＣ３１９のユーザは図１２（ｂ）のように画角情報が被操作側カメラの撮影領域１８０２と重なるように画角１８０７を調整して撮影を行う。
【００２７】
以上の説明のように、操作側カメラのユーザは画角を指定して被操作側カメラにリクエストを行うことによって、被操作側カメラのユーザは被写体を含めてどのような画角での撮影を希望しているかを正確に把握して撮影することが可能となる。
【００２８】
＜第三の実施形態＞
第三の実施形態では図２、図３および図１３を用いて説明する。第三の実施形態では撮影依頼情報で指定した被写体位置情報を含む撮影が行われた場合に撮影依頼情報を自動で削除する方法について説明する。本実施形態では撮影依頼を自動削除する場合は、ユーザが撮影依頼情報における撮影設定情報として自動削除フラグを有効にしておき、その撮影設定情報を被操作側カメラに送信している例を説明する。
【００２９】
図１３は撮影画像転送と撮影依頼情報削除の手順を示したフローチャートである。Ｓ１９０１〜Ｓ１９０４は第一の実施形態において図９で示したＳ１４０１〜Ｓ１４０４と同様であるため省略する。Ｓ１９０５では、Ｓ１９０４による撮影依頼情報に従って撮影画像の送信完了後、撮影依頼削除手段２１８により該当の撮影依頼情報をチェックする。自動削除フラグが無効の場合（Ｓ１９０５にてＮＯ）、Ｓ１９０１に戻り、撮影画像の転送処理を継続する。自動削除フラグが有効の場合（Ｓ１９０５にてＹＥＳ）、Ｓ１９０６が実施される。Ｓ１９０６では、対応する撮影依頼情報を撮影依頼管理手段２１６から削除する。そして、Ｓ１９０１へ戻る。
【００３０】
Ｓ１９０７では、Ｓ１９０３で受信した撮影依頼識別子をキーとして撮影依頼記憶手段２０４から撮影依頼情報を検索し、撮影依頼削除手段２０６によりチェックする。自動削除フラグが無効（Ｓ１９０７にてＮＯ）の場合は処理を完了する。自動削除フラグが有効（Ｓ１９０７にてＹＥＳ）の場合、Ｓ１９０８が実施される。Ｓ１９０８では、対応する撮影依頼情報を撮影依頼削除手段２０６から削除する。
【００３１】
以上の説明のように、撮影が完了した場合に自動で撮影依頼情報を削除することによって、手動で撮影済みの撮影依頼情報を削除するといった管理の手間を軽減することが可能となる。
【００３２】
＜第四の実施形態＞
第四の実施形態では図２、図３、図５、図１４および図１５を用いて説明する。第四の実施形態では複数の操作側カメラ間で他の操作側カメラが指定した被写体位置情報を共有する方法について説明する。
【００３３】
図１４は被写体位置情報の共有方法の手順を示したフローチャートである。図１４においてＳ２００１〜Ｓ２００４は第一の実施形態のＳ４０１〜Ｓ４０４と同様であるため説明を省略する。尚、第一の実施形態と同様にデジタルカメラＡ３０１、Ｂ３１０はそれぞれ図５が示すように被写体位置情報を指定したとする。また、デジタルカメラＣ３１９の撮影依頼管理手段２１６はデジタルカメラＡ３０１、Ｂ３１０の撮影依頼情報を図６（ｃ）で示すように保持しているものとする。Ｓ２００５では、被写体位置送信手段２２５により撮影依頼管理手段２１６が保持している被写体位置情報をデジタルカメラＡ３０１、Ｂ３１０の被写体位置受信手段２１０へ送信する。すなわち、情報を共有したい操作側カメラ全てに被写体位置情報を送信する。Ｓ２００６では、被写体位置受信手段２１０により被操作側カメラが送信した被写体位置情報を受信する。Ｓ２００７では、受信した被写体位置情報を受信したスルー画像に重ね合わせて表示する。その結果、デジタルカメラＡ３０１、Ｂ３１０のモニタ画面は図１５のようになる。なお、この際、どの被写体位置情報が誰の指示によって指定されているかを併せて表示しても良いし、自分が指定したものと異なる表示形式で表されても良い。
【００３４】
以上の説明のように、操作側カメラ間で被写体位置情報を共有することによって、他のユーザの撮影リクエストと協調した動作が可能となる。例えば、他のユーザが自分と同じ被写体を既に指定している場合には、被写体位置情報の送信を行わずに、撮影指示のみ含んだ撮影依頼情報送信して処理を行うことが可能となる。これにより、ユーザ毎に同じ設定を繰り返す必要が無く、遠隔撮影全体としての作業効率が向上する。
【００３５】
＜第五の実施形態＞
第五の実施形態では図２および図１６を用いて説明する。第五の実施形態では被写体位置情報を利用した自動撮影について説明する。
【００３６】
図１６は被操作側カメラにおける自動撮影処理の手順を示したフローチャートである。Ｓ２２０１では、撮影依頼表示手段２１７により撮影位置情報を表示する。被操作側カメラのユーザは撮影する位置を撮影位置情報に従ってデジタルカメラの画角を調整する。Ｓ２２０２では、撮影タイミング通知手段２２３は撮影位置情報が撮影している画角領域内に収まったことを検出し、操作者に対し撮影タイミングを知らせる通知を実施する。通知の方法としてはＬＥＤ、モニタなどを用いることができる。検出のタイミングとしては、撮影位置情報が撮影画角内に収まったタイミング、撮影位置情報の中心が画角の中心と重なり、かつ、撮影位置情報が撮影画角内に収まったタイミングなどを利用できる。なお、通知方法、及び検出タイミングは上記方法に限定されるものではなく、通知方法についてはアラート音、検出タイミングについては処理開始からの経過時間などでも良い。Ｓ２２０３では、撮影タイミング通知手段２２３による通知を自動撮影手段２２４が受信して自動撮影を行う。
【００３７】
以上の説明のように、被写体位置情報を元に被操作側カメラが自動撮影を行うことによって、遠隔操作における指示の送受信に起因する、撮影指示と実際の撮影との撮影タイミングのズレを解消した撮影が可能となる。
【００３８】
＜第六の実施形態＞
第六の実施形態では図２、図１７および図１８を用いて説明する。第六の実施形態では画像補正依頼に従って被操作側カメラで画像補正する方法について説明する。本実施形態では撮影依頼情報に含まれる撮影設定情報として画像補正依頼を設定した場合について説明する。
【００３９】
図１７は撮影依頼管理手段２１６が管理している撮影依頼情報である。本撮影依頼情報は撮影の対象となった撮影依頼情報であり、撮影依頼識別子、撮影位置情報、通信先情報、補正情報を含んでいる。なお、この撮影依頼情報の構成は一例であり、他の情報を含んでいても良い。図１８は撮影後の画像補正を適用した場合の画像転送処理の手順を示したフローチャートである。Ｓ２４０１では、撮影画像を転送する対象が存在するかをチェックする。存在しない場合（Ｓ２４０１にてＮＯ）には転送処理を終了する。存在する場合（Ｓ２４０１にてＹＥＳ）にはＳ２４０２を実施する。Ｓ２４０２では、撮影依頼情報に画像補正依頼が設定されているかをチェックする。設定されている場合（Ｓ２４０２にてＹＥＳ）、Ｓ２４０３を実施する。設定されていない場合（Ｓ２４０２にてＮＯ）、Ｓ２４０４を実施する。本実施形態において、対象の撮影依頼情報に補正情報として解像度が指定されているため、撮影画像に対し解像度の補正を実施することとなる。Ｓ２４０３では、撮影画像補正手段２２１により画像補正依頼に従って撮影画像を補正する。補正の方法としては解像度調整、圧縮率の調整、画像フォーマット変換、効果適用などが適用できる。本実施形態では補正情報として、解像度が指定されている為、解像度の補正を実施する。その後、Ｓ２４０４へ進む。Ｓ２４０４では、撮影画像送信手段２２２によって撮影画像を操作側カメラへ送信する。Ｓ２４０４の後、Ｓ２４０１へ戻り、処理を繰り返す。
【００４０】
以上の説明のように、被操作側カメラで画像の補正を行うことによって、異なる設定で撮影した場合であっても、操作側カメラのユーザが意図する撮影設定に従った撮影画像を取得することが可能となる。
【００４１】
＜第七の実施形態＞
第七の実施形態では図２、図１９および図２０を用いて説明する。第七の実施形態では画像補正指示に従って操作側カメラで画像補正する方法について説明する。本実施形態では撮影依頼情報に含まれる撮影設定情報として画像補正指示を設定した場合について説明する。
【００４２】
図１９は操作側カメラの撮影依頼記憶手段２０４が記憶している撮影依頼情報である。本撮影依頼情報は撮影依頼識別子、撮影位置情報、通信先情報、補正情報を含んでいる。なお、本撮影依頼情報の構成は一例であり、他の情報を含んでいても良い。図２０は画像補正処理を適用した場合の操作側カメラにおける撮影画像受信後の手順を示したフローチャートである。Ｓ２６０１では、撮影画像受信手段２０７により被操作側カメラから送信された撮影画像と撮影依頼識別子を受信する。Ｓ２６０２では、受信画像補正手段２０８は撮影依頼識別子をキーとして撮影依頼記憶手段２０４から撮影依頼情報を検索し、画像補正指示が存在するかチェックする。補正指示が存在する場合（Ｓ２６０２にてＹＥＳ）、Ｓ２６０３を実施する。補正指示が存在しない場合（Ｓ２６０２にてＮＯ）、Ｓ２６０４を実施する。本実施形態において、撮影依頼記憶手段２０４が保持する撮影依頼情報に補正情報として、解像度が指定されているため、撮影画像に対し解像度の補正を実施することとなる。なお、第六の実施形態と同様、他の補正処理についても適用可能である。Ｓ２６０３では、受信画像補正手段２０８により画像補正指示に従って画像補正を実施する。その後、Ｓ２６０４へ進む。Ｓ２６０４では、撮影画像を撮影画像保存手段２０９により保存する。その後、本フローを終了する。
【００４３】
以上の説明のように、操作側カメラで撮影画像の補正をしてから保存することによって、異なる設定で撮影した画像を被操作側カメラから受信した場合であっても、操作側カメラのユーザが意図する撮影設定に従った画像を取得することが可能となる。
【００４４】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011024139.tif 000003
【図２】
2011024139.tif 000004
【図３】
2011024139.tif 000005
【図４】
2011024139.tif 000006
【図５】
2011024139.tif 000007
【図６】
2011024139.tif 000008
【図７】
2011024139.tif 000009
【図８】
2011024139.tif 000010
【図９】
2011024139.tif 000011
【図１０】
2011024139.tif 000012
【図１１】
2011024139.tif 000013
【図１２】
2011024139.tif 000014
【図１３】
2011024139.tif 000015
【図１４】
2011024139.tif 000016
【図１５】
2011024139.tif 000017
【図１６】
2011024139.tif 000018
【図１７】
2011024139.tif 000019
【図１８】
2011024139.tif 000020
【図１９】
2011024139.tif 000021
【図２０】
2011024139.tif 000022